(57)【要約】本開示の実施形態は、ＨＡＲＱアクノリッジメント情報のフィードバックを取得する方法及び装置を提供する。方法は、免許不要キャリアでのダウンリンクデータ送信に関するＨＡＲＱアクノリッジメント情報を報告するためのアップリンク制御チャネルリソースをＵＥに割り当てるステップを備える。方法はまた、所定の延期ウィンドウ内でＵＥからＨＡＲＱアクノリッジメント情報のフィードバックを取得するステップを備える。所定の延期ウィンドウは、ＨＡＲＱアクノリッジメント情報の報告のための最小遅延及び最大遅延を指定する。本開示の実施形態は、ＨＡＲＱアクノリッジメント情報フィードバックの信頼性を高めるとともにレイテンシを減少させ得る。さらに、本開示の実施形態は、ＬＡＡシナリオに対するだけでなく、免許不要キャリアにおけるスタンドアロンＬＡＡアクセスシナリオにも拡張され得る。【選択図】  図１
2019516292.tif 000002
【特許請求の範囲】
【請求項１】
ハイブリッド自動反復要求（ＨＡＲＱ）アクノリッジメント情報のフィードバックを取得する方法であって、
免許不要キャリアでのダウンリンクデータ送信に関するＨＡＲＱアクノリッジメント情報を報告するためのアップリンク制御チャネルリソースをユーザ機器（ＵＥ）に割り当てるステップ、及び
所定の延期ウィンドウ内でＵＥから前記ＨＡＲＱアクノリッジメント情報のフィードバックを取得するステップであって、前記所定の延期ウィンドウが前記ＨＡＲＱアクノリッジメント情報の報告のための最小遅延及び最大遅延を指定する、ステップ
を備え、前記アップリンク制御チャネルリソースを前記ＵＥに割り当てるステップが、前記アップリンク制御チャネルリソースを免許不要キャリアにおいて前記ＵＥに割り当てるステップを含む、方法。
【請求項２】
前記ＨＡＲＱアクノリッジメント情報が、所定の報告ウィンドウ内で１つ以上のＨＡＲＱアクノリッジメント情報を含む、請求項１に記載の方法。
【請求項３】
前記ＨＡＲＱアクノリッジメント情報が報告される前記免許不要キャリアが、予め構成された複数の候補免許不要キャリアの１つを含む、請求項１に記載の方法。
【請求項４】
前記アップリンク制御チャネルリソースを前記ＵＥに割り当てるステップが、
前記ＵＥの複数のダウンリンクデータ送信に対して同じアップリンク制御チャネルリソースを予約するステップを備える、請求項１から３のいずれか一項に記載の方法。
【請求項５】
前記ＵＥの前記複数のダウンリンクデータ送信に対して前記同じアップリンク制御チャネルリソースを予約するステップが、
第１のサブフレームにおいて前記ＵＥに対して前記複数のダウンリンクデータ送信のうちの１つをスケジューリングすることに応じて、前記第１のサブフレームの後続の複数のサブフレームにおいて前記ＵＥに対して前記同じアップリンク制御チャネルリソースを予約するステップを備える、請求項４に記載の方法。
【請求項６】
前記所定の報告ウィンドウが、アップリンク制御情報（ＵＣＩ）フォーマット、コードワード数、及び前記ＵＥによって使用される前記ＨＡＲＱアクノリッジメント情報の報告のための統合された免許不要キャリア数に基づいて暗示的に決定される、請求項１に記載の方法。
【請求項７】
ハイブリッド自動反復要求（ＨＡＲＱ）アクノリッジメント情報を報告する方法であって、
免許不要キャリアでのダウンリンクデータ送信に関するＨＡＲＱアクノリッジメント情報の報告のためのアップリンク制御チャネルリソースを基地局から取得するステップ、及び
前記アップリンク制御チャネルリソースを用いて所定の延期ウィンドウ内で前記ＨＡＲＱアクノリッジメント情報を報告するステップであって、前記所定の延期ウィンドウが前記ＨＡＲＱアクノリッジメント情報の報告のための最小遅延及び最大遅延を指定する、ステップ
を備え、前記アップリンク制御チャネルリソースが免許不要キャリアにおけるアップリンク制御チャネルリソースを含む、方法。
【請求項８】
前記ＨＡＲＱアクノリッジメント情報が、所定の報告ウィンドウ内で１つ以上のＨＡＲＱアクノリッジメント情報を含む、請求項７に記載の方法。
【請求項９】
前記アップリンク制御チャネルリソースが、前記ＵＥの複数のダウンリンクデータ送信に対して前記基地局によって予約された同じアップリンク制御チャネルリソースを含む、請求項７又は８に記載の方法。
【請求項１０】
前記ＨＡＲＱアクノリッジメント情報を報告するステップが、
第１のサブフレームにおいて前記ダウンリンクデータ送信についてスケジューリングされることに応じて、前記第１のサブフレームの後続の複数のサブフレームでの前記免許不要キャリアの送信ステータスを検出するステップ、及び
前記免許不要キャリアの前記送信ステータスが前記複数のサブフレームのうちの１つにおいてフリーステータスであることに応じて、前記免許不要キャリアにおいて前記ＨＡＲＱアクノリッジメント情報を報告するステップ
を備える、請求項９に記載の方法。
【請求項１１】
前記ＨＡＲＱアクノリッジメント情報が報告される前記免許不要キャリアが、前記基地局によって予め構成された複数の候補免許不要キャリアのうちの１つを含む、請求項７に記載の方法。
【請求項１２】
前記ＨＡＲＱアクノリッジメント情報を報告するステップが、
第１のサブフレームにおいて前記ダウンリンクデータ送信についてスケジューリングされることに応じて、前記第１のサブフレームの後続の複数のサブフレームでの前記複数の候補免許不要キャリアの各々の送信ステータスを検出するステップ、及び
前記複数の候補免許不要キャリアのうちの１つの前記送信ステータスが前記複数のサブフレームのうちの１つにおいてフリーステータスであることに応じて、前記複数の候補免許不要キャリアのうちの前記１つにおいて前記ＨＡＲＱアクノリッジメント情報を報告するステップ
を備える、請求項１１に記載の方法。
【請求項１３】
前記所定の報告ウィンドウが、アップリンク制御情報フォーマット、コードワード数、及び前記ＵＥによって使用される前記ＨＡＲＱアクノリッジメント情報の報告のための統合された免許不要キャリア数に基づいて暗示的に決定される、請求項７に記載の方法。
【請求項１４】
ハイブリッド自動反復要求（ＨＡＲＱ）アクノリッジメント情報のフィードバックを取得する装置であって、
免許不要キャリアでのダウンリンクデータ送信に関するＨＡＲＱアクノリッジメント情報を報告するためのアップリンク制御チャネルリソースをユーザ機器（ＵＥ）に割り当てるように構成された割当て部、及び
所定の延期ウィンドウ内でＵＥから前記ＨＡＲＱアクノリッジメント情報のフィードバックを取得するように構成されたフィードバック取得部であって、前記所定の延期ウィンドウが前記ＨＡＲＱアクノリッジメント情報の報告のための最小遅延及び最大遅延を指定するものである、フィードバック取得部
を備え、前記アップリンク制御チャネルリソースが、免許不要キャリアにおけるアップリンク制御チャネルリソースを含む、装置。
【請求項１５】
ハイブリッド自動反復要求（ＨＡＲＱ）アクノリッジメント情報を報告する装置であって、
免許不要キャリアでのダウンリンクデータ送信に関するＨＡＲＱアクノリッジメント情報の報告のためのアップリンク制御チャネルリソースを基地局から取得するように構成されたリソース取得部、及び
前記アップリンク制御チャネルリソースを用いて所定の延期ウィンドウ内で前記ＨＡＲＱアクノリッジメント情報を報告するように構成された報告部であって、前記所定の延期ウィンドウが前記ＨＡＲＱアクノリッジメント情報の報告のための最小遅延及び最大遅延を指定するものである、報告部
を備え、前記アップリンク制御チャネルリソースが免許不要キャリアにおけるアップリンク制御チャネルリソースを含む、装置。
【発明の詳細な説明】
【技術分野】
【０００１】
本開示の実施形態は、概略として無線通信に関し、より具体的には、ハイブリッド自動反復要求（ＨＡＲＱ）アクノリッジメント情報のフィードバックを取得する方法及び装置並びにＨＡＲＱアクノリッジメント情報を報告する方法及び装置に関する。
【背景技術】
【０００２】
３ＧＰＰ  ＲＡＮ第７０回ミーティングにおいて、ＬＴＥのためのエンハンスト・ライセンス・アシステッド・アクセス（ｅＬＡＡ）における新たな作業項目が、リリース１４の検討について認可された。この作業項目の課題は、免許不要スペクトルにおけるＬＡＡ二次セル（ＳＣｅｌｌ）動作のためのアップリンク（ＵＬ）サポートを指定するものである。物理アップリンク制御チャネル（ＰＵＣＣＨ）がＬＡＡのために一次セル（ＰＣｅｌｌ）における免許キャリアでのみ送信される場合、現在の規格におけるＰＵＣＣＨについて定義された全ての手順が再利用可能である。しかし、免許不要帯域には多数のキャリアがあるので、免許キャリアＰＣｅｌｌは多数の免許不要キャリアＬＡＡ  ＳＣｅｌｌと統合されやすく、これは免許キャリアＰＣｅｌｌに重いＰＵＣＣＨ負荷及びセル間干渉をもたらすことになる。この場合、免許不要キャリアＳＣｅｌｌへのＰＵＣＣＨ送信を負荷低減することは有益となり得る。またさらに、スタンドアロンＬＡＡのための前方互換性及び免許不要キャリアでのデュアル／マルチ接続性動作を考慮すると、ＬＡＡ  ＳＣｅｌｌにおけるＰＵＣＣＨ送信がＬＡＡリリース１４の一部とみなされて今後の設計非互換性を回避する必要がある。したがって、以下の合意が、３ＧＰＰ  ＴＳＧ  ＲＡＮ第８４回ミーティングにおいて達成されている。
・ＬＡＡ  ＳＣｅｌｌにおける免許キャリアにおいてサービングセルのためのＨＡＲＱアクノリッジメント情報の送信は、サポートされない、
・ＬＡＡ  ＳＣｅｌｌにおける免許不要キャリアにおいてサービングセルのためのＨＡＲＱアクノリッジメント情報及びチャネル状態情報（ＣＳＩ）の送信はサポートされる。
【０００３】
一方、ＰＵＣＣＨがＬＡＡ  ＳＣｅｌｌにおいて送信される場合、チャネルへのアクセスにおける公平性を確実にするのにリッスン・ビフォー・トーク（ＬＢＴ）がＰＵＣＣＨに必要となる。何らの不確実性なしに専用ＵＬサブフレーム／リソースが保証される旧来のＬＴＥシステムとは異なり、ＬＡＡにおいて、ＨＡＲＱアクノリッジメント情報が送信される必要があるサブフレームにおけるＬＡＡ  ＳＣｅｌｌでのＰＵＣＣＨ送信のためのチャネルをユーザ機器（ＵＥ）が確保することができない場合、ＨＡＲＱアクノリッジメント情報の送信はＬＴＥにおける旧来のＨＡＲＱタイミングメカニズムのために破棄され得る。この場合、アップリンク制御情報（ＵＣＩ）の送信はＬＢＴの不確実性に起因してクリア・チャネル・アセスメント（ＣＣＡ）の結果に依存して変動し得るので、ＨＡＲＱアクノリッジメント情報の送信タイミングは免許不要キャリアにおけるＨＡＲＱアクノリッジメント情報フィードバックを実現するための更なる検討を要する。
【０００４】
またさらに、ＬＢＴに起因する不確実性は、ＨＡＲＱアクノリッジメント情報フィードバックの信頼性と免許不要キャリアにおける遅延にさらに影響することになる。例えば、免許不要キャリアにおけるチャネルが長時間にわたって使用中である場合、ダウンリンク（ＤＬ）パケット配信のレイテンシは非常に高くなることがあり、エボルブドノードＢ（ｅＮＢ）はＤＬ  ＨＡＲＱ処理の最大数における制限に起因して免許不要キャリアにおけるＵＥのためのＤＬ送信をスケジューリングできなくなる。この場合、ＬＡＡのための免許不要キャリアにおけるＵＬ  ＨＡＲＱアクノリッジメント情報の信頼性を高める必要もある。
【０００５】
したがって、ＬＡＡ  ＳＣｅｌｌにおけるＰＵＣＣＨ送信のサポートのためにＨＡＲＱタイミング強化が必要となる。
【発明の概要】
【０００６】
したがって、従来技術における上記問題を解決し、又は少なくとも部分的に軽減するために、ＨＡＲＱアクノリッジメント情報フィードバックの信頼性を高めるとともにそのレイテンシを減少させるメカニズムを導入する必要がある。
【０００７】
第１の態様において、ＨＡＲＱアクノリッジメント情報のフィードバックを取得する方法が提供される。方法は、免許不要キャリアでのダウンリンクデータ送信に関するＨＡＲＱアクノリッジメント情報を報告するためのアップリンク制御チャネルリソースをユーザ機器（ＵＥ）に割り当てるステップ、及び所定の延期ウィンドウ内でＵＥからＨＡＲＱアクノリッジメント情報のフィードバックを取得するステップであって、所定の延期ウィンドウはＨＡＲＱアクノリッジメント情報の報告のための最小遅延及び最大遅延を指定する、ステップを備える。
【０００８】
ある実施形態では、ＨＡＲＱアクノリッジメント情報は、所定の報告ウィンドウ内で１つ以上のＨＡＲＱアクノリッジメント情報を含む。
【０００９】
ある実施形態では、アップリンク制御チャネルリソースをＵＥに割り当てるステップは、アップリンク制御チャネルリソースを免許不要キャリアにおいてＵＥに割り当てるステップを含む。
【００１０】
ある実施形態では、ＨＡＲＱアクノリッジメント情報が報告される免許不要キャリアは、ダウンリンクデータ送信が実行される免許不要キャリアと同じであり又はそれとは異なる。
【００１１】
ある実施形態では、ＨＡＲＱアクノリッジメント情報が報告される免許不要キャリアは、予め構成された複数の候補免許不要キャリアの１つを含む。
【００１２】
ある実施形態では、複数の候補免許不要キャリアは第１の免許不要キャリア及び第２の免許不要キャリアを少なくとも含み、第１の免許不要キャリアはダウンリンクデータ送信が実行される免許不要キャリアを含み、第２の免許不要キャリアは第１の免許不要キャリアとは異なる。
【００１３】
ある実施形態では、アップリンク制御チャネルリソースをＵＥに割り当てるステップは、ＵＥへの複数のダウンリンクデータ送信に対して同じアップリンク制御チャネルリソースを予約するステップを含む。
【００１４】
ある実施形態では、ＵＥへの複数のダウンリンクデータ送信に対して同じアップリンク制御チャネルリソースを予約するステップは、第１のサブフレームにおいてＵＥに対して複数のダウンリンクデータ送信のうちの１つをスケジューリングすることに応じて、第１のサブフレームの後続の複数のサブフレームにおいてＵＥに対して同じアップリンク制御チャネルリソースを予約するステップを備える。
【００１５】
ある実施形態では、アップリンク制御チャネルリソースをＵＥに割り当てるステップは、ＵＥへの各ダウンリンクデータ送信に対してアップリンク制御チャネルリソースを独立して構成するステップを備える。
【００１６】
ある実施形態では、ＵＥへの各ダウンリンクデータ送信に対してアップリンク制御チャネルリソースを独立して構成するステップは、第２のサブフレームにおいてＵＥに対してダウンリンクデータ送信をスケジューリングすることに応じて、第２のサブフレームの後続の所定のサブフレームにおいてＵＥに対してアップリンク制御チャネルリソースを構成するステップを備える。
【００１７】
ある実施形態では、所定の報告ウィンドウが、アップリンク制御情報（ＵＣＩ）フォーマット、コードワード数、及びＵＥによって使用されるＨＡＲＱアクノリッジメント情報の報告のための統合された免許不要キャリア数に基づいて暗示的に決定される。
【００１８】
ある実施形態では、方法は、アップリンク制御チャネルリソースの表示を搬送する制御コマンドをＵＥに送信するステップをさらに備える。
【００１９】
ある実施形態では、報告ウィンドウは、制御コマンドを介して構成される。
【００２０】
ある実施形態では、アップリンク制御チャネルリソースをＵＥに割り当てるステップは、ＵＥのサービングセルにおいて免許キャリアでアップリンク制御チャネルリソースをＵＥに割り当てるステップを備える。
【００２１】
ある実施形態では、方法は、所定のアップリンクサブフレームにおいて免許キャリアにおけるアップリンク制御チャネルリソースが利用可能であると判断したことに応じて、トリガコマンドをＵＥに送信するステップをさらに備え、トリガコマンドは、ＨＡＲＱアクノリッジメント情報の報告のために免許不要キャリアから免許キャリアに切り替えるようにＵＥを指示するものである。
【００２２】
ある実施形態では、トリガコマンドは、免許キャリアにおいてアップリンク制御チャネルリソースの表示を搬送する。
【００２３】
ある実施形態では、アップリンク制御チャネルリソースの表示は、アップリンク制御チャネルリソースのインデックス及び所定のアップリンクサブフレームのインデックスを含む。
【００２４】
ある実施形態では、アップリンク制御チャネルリソースの表示はアップリンク制御チャネルリソースのインデックスを含み、所定のアップリンクサブフレームのインデックスはトリガコマンドが送信されるサブフレームの位置に基づいて決定される。
【００２５】
第２の態様において、ＨＡＲＱアクノリッジメント情報を報告する方法が提供される。方法は、免許不要キャリアでのダウンリンクデータ送信に関するＨＡＲＱアクノリッジメント情報の報告のためのアップリンク制御チャネルリソースを基地局から取得するステップ、及びアップリンク制御チャネルリソースを用いて所定の延期ウィンドウ内でＨＡＲＱアクノリッジメント情報を報告するステップであって、所定の延期ウィンドウはＨＡＲＱアクノリッジメント情報の報告のための最小遅延及び最大遅延を指定する、ステップを備える。
【００２６】
ある実施形態では、ＨＡＲＱアクノリッジメント情報は、所定の報告ウィンドウ内で１つ以上のＨＡＲＱアクノリッジメント情報を含む。
【００２７】
ある実施形態では、アップリンク制御チャネルリソースは、免許不要キャリアにおけるアップリンク制御チャネルリソースを含む。
【００２８】
ある実施形態では、ＨＡＲＱアクノリッジメント情報が報告される免許不要キャリアは、ダウンリンクデータ送信が実行される免許不要キャリアと同じであり又はそれとは異なる。
【００２９】
ある実施形態では、アップリンク制御チャネルリソースは、ＵＥへの複数のダウンリンクデータ送信に対して基地局によって予約された同じアップリンク制御チャネルリソースを含む。
【００３０】
ある実施形態では、ＨＡＲＱアクノリッジメント情報を報告するステップは、第１のサブフレームにおいてダウンリンクデータ送信についてスケジューリングされることに応じて、第１のサブフレームの後続の複数のサブフレームでの免許不要キャリアの送信ステータスを検出するステップ、及び免許不要キャリアの送信ステータスが複数のサブフレームのうちの１つにおいてフリーステータスであることに応じて、免許不要キャリアにおいてＨＡＲＱアクノリッジメント情報を報告するステップを備える。
【００３１】
ある実施形態では、アップリンク制御チャネルリソースは、ＵＥへの各ダウンリンクデータ送信に対して基地局によって独立して構成されるアップリンク制御チャネルリソースを含む。
【００３２】
ある実施形態では、ＨＡＲＱアクノリッジメント情報を報告するステップは、第２のサブフレームにおいてダウンリンクデータ送信についてスケジューリングされることに応じて、第２のサブフレームの後続の所定のサブフレームでの免許不要キャリアの送信ステータスを検出するステップ、及び免許不要キャリアの送信ステータスが所定のサブフレームにおいてフリーステータスであることに応じて、その免許不要キャリアにおいてＨＡＲＱアクノリッジメント情報を報告するステップを備える。
【００３３】
ある実施形態では、ＨＡＲＱアクノリッジメント情報が報告される免許不要キャリアは、基地局によって予め構成された複数の候補免許不要キャリアのうちの１つを含む。
【００３４】
ある実施形態では、複数の候補免許不要キャリアは第１の免許不要キャリア及び第２の免許不要キャリアを少なくとも含み、第１の免許不要キャリアはダウンリンクデータ送信が実行される免許不要キャリアを含み、第２の免許不要キャリアは第１の免許不要キャリアとは異なる。
【００３５】
ある実施形態では、アップリンク制御チャネルリソースは、ＵＥへの複数のダウンリンクデータ送信に対して基地局によって予約された同じアップリンク制御チャネルリソースを含む。
【００３６】
ある実施形態では、ＨＡＲＱアクノリッジメント情報を報告するステップは、第１のサブフレームにおいてダウンリンクデータ送信についてスケジューリングされることに応じて、第１のサブフレームの後続の複数のサブフレームでの複数の候補免許不要キャリアの各々の送信ステータスを検出するステップ、及び複数の候補免許不要キャリアのうちの１つの送信ステータスが複数のサブフレームのうちの１つにおいてフリーステータスであることに応じて、複数の候補免許不要キャリアのうちの１つにおいてＨＡＲＱアクノリッジメント情報を報告するステップを備える。
【００３７】
ある実施形態では、アップリンク制御チャネルリソースは、ＵＥへの各ダウンリンクデータ送信について基地局によって独立して構成されるアップリンク制御チャネルリソースを含む。
【００３８】
ある実施形態では、ＨＡＲＱアクノリッジメント情報を報告するステップは、第２のサブフレームにおいてダウンリンクデータ送信についてスケジューリングされることに応じて、第２のサブフレームの後続の所定のサブフレームでの複数の候補免許不要キャリアの各々の送信ステータスを検出するステップ、及び複数の候補免許不要キャリアのうちの１つの送信ステータスが所定のサブフレームにおいてフリーステータスであることに応じて、複数の候補免許不要キャリアのうちの１つにおいてＨＡＲＱアクノリッジメント情報を報告するステップを備える。
【００３９】
ある実施形態では、所定の報告ウィンドウは、アップリンク制御情報フォーマット、コードワード数、及びＵＥによって使用されるＨＡＲＱアクノリッジメント情報の報告のための統合された免許不要キャリア数に基づいて暗示的に決定される。
【００４０】
ある実施形態では、方法は、アップリンク制御チャネルリソースの表示を搬送する制御コマンドを基地局から受信するステップをさらに備える。
【００４１】
ある実施形態では、報告ウィンドウは、制御コマンドを介して構成される。
【００４２】
ある実施形態では、アップリンク制御チャネルリソースは、ＵＥのサービングセルにおいて免許キャリアにおけるアップリンク制御チャネルリソースを備える。
【００４３】
ある実施形態では、方法は、所定のアップリンクサブフレームで免許キャリアにおけるＨＡＲＱアクノリッジメント情報の報告のために免許不要キャリアから免許キャリアに切り替えるようＵＥに指示するトリガコマンドを基地局から受信するステップをさらに備える。
【００４４】
ある実施形態では、トリガコマンドは、免許キャリアにおいてアップリンク制御チャネルリソースの表示を搬送する。
【００４５】
ある実施形態では、アップリンク制御チャネルリソースの表示は、アップリンク制御チャネルリソースのインデックス及び所定のアップリンクサブフレームのインデックスを含む。
【００４６】
ある実施形態では、アップリンク制御チャネルリソースの表示はアップリンク制御チャネルリソースのインデックスを含み、所定のアップリンクサブフレームのインデックスはトリガコマンドが送信されるサブフレームの位置に基づいて決定される。
【００４７】
第３の態様において、ＨＡＲＱアクノリッジメント情報のフィードバックを取得する装置が提供される。装置は、免許不要キャリアでのダウンリンクデータ送信に関するＨＡＲＱアクノリッジメント情報を報告するためのアップリンク制御チャネルリソースをユーザ機器（ＵＥ）に割り当てるように構成された割当て部、及び所定の延期ウィンドウ内でＵＥからＨＡＲＱアクノリッジメント情報のフィードバックを取得するように構成されたフィードバック取得部であって、所定の延期ウィンドウはＨＡＲＱアクノリッジメント情報の報告のための最小遅延及び最大遅延を指定するものである、フィードバック取得部を備える。
【００４８】
ある実施形態では、ＨＡＲＱアクノリッジメント情報は、所定の報告ウィンドウ内で１つ以上のＨＡＲＱアクノリッジメント情報を含む。
【００４９】
ある実施形態では、割当て部は、アップリンク制御チャネルリソースを免許不要キャリアにおいてＵＥに割り当てるようにさらに構成される。
【００５０】
ある実施形態では、ＨＡＲＱアクノリッジメント情報が報告される免許不要キャリアは、ダウンリンクデータ送信が実行される免許不要キャリアと同じであり又はそれとは異なる。
【００５１】
ある実施形態では、ＨＡＲＱアクノリッジメント情報が報告される免許不要キャリアは、予め構成された複数の候補免許不要キャリアの１つを含む。
【００５２】
ある実施形態では、複数の候補免許不要キャリアは第１の免許不要キャリア及び第２の免許不要キャリアを少なくとも含み、第１の免許不要キャリアはダウンリンクデータ送信が実行される免許不要キャリアを含み、第２の免許不要キャリアは第１の免許不要キャリアとは異なる。
【００５３】
ある実施形態では、割当て部は、ＵＥへの複数のダウンリンクデータ送信に対して同じアップリンク制御チャネルリソースを予約するようにさらに構成される。
【００５４】
ある実施形態では、割当て部は、第１のサブフレームにおいてＵＥに対して複数のダウンリンクデータ送信のうちの１つをスケジューリングすることに応じて、第１のサブフレームの後続の複数のサブフレームにおいてＵＥに対して同じアップリンク制御チャネルリソースを予約するようにさらに構成される。
【００５５】
ある実施形態では、割当て部は、ＵＥへの各ダウンリンクデータ送信に対してアップリンク制御チャネルリソースを独立して構成するようにさらに構成される。
【００５６】
ある実施形態では、割当て部は、第２のサブフレームにおいてＵＥに対してダウンリンクデータ送信をスケジューリングすることに応じて、第２のサブフレームの後続の所定のサブフレームにおいてＵＥに対してアップリンク制御チャネルリソースを構成するようにさらに構成される。
【００５７】
ある実施形態では、所定の報告ウィンドウが、アップリンク制御情報（ＵＣＩ）フォーマット、コードワード数、及びＵＥによって使用されるＨＡＲＱアクノリッジメント情報の報告のための統合された免許不要キャリア数に基づいて暗示的に決定される。
【００５８】
ある実施形態では、装置は、アップリンク制御チャネルリソースの表示を搬送する制御コマンドをＵＥに送信するように構成された送信部をさらに備える。
【００５９】
ある実施形態では、送信部は、報告ウィンドウを制御コマンドを介して構成するようにさらに構成される。
【００６０】
ある実施形態では、割当て部は、ＵＥのサービングセルにおいて免許キャリアでアップリンク制御チャネルリソースをＵＥに割り当てるようにさらに構成される。
【００６１】
ある実施形態では、送信部は、所定のアップリンクサブフレームにおいて免許キャリアにおけるアップリンク制御チャネルリソースが利用可能であると判断したことに応じて、ＨＡＲＱアクノリッジメント情報の報告のために免許不要キャリアから免許キャリアに切り替えるようにＵＥを指示するトリガコマンドをＵＥに送信するようにさらに構成される。
【００６２】
ある実施形態では、トリガコマンドは、免許キャリアにおいてアップリンク制御チャネルリソースの表示を搬送する。
【００６３】
ある実施形態では、アップリンク制御チャネルリソースの表示は、アップリンク制御チャネルリソースのインデックス及び所定のアップリンクサブフレームのインデックスを含む。
【００６４】
ある実施形態では、アップリンク制御チャネルリソースの表示はアップリンク制御チャネルリソースのインデックスを含み、所定のアップリンクサブフレームのインデックスはトリガコマンドが送信されるサブフレームの位置に基づいて決定される。
【００６５】
第４の態様において、ＨＡＲＱアクノリッジメント情報を報告する装置が提供される。装置は、免許不要キャリアでのダウンリンクデータ送信に関するＨＡＲＱアクノリッジメント情報の報告のためのアップリンク制御チャネルリソースを基地局から取得するように構成されたリソース取得部、及びアップリンク制御チャネルリソースを用いて所定の延期ウィンドウ内でＨＡＲＱアクノリッジメント情報を報告するように構成された報告部であって、所定の延期ウィンドウはＨＡＲＱアクノリッジメント情報の報告のための最小遅延及び最大遅延を指定するものである、報告部を備える。
【００６６】
ある実施形態では、ＨＡＲＱアクノリッジメント情報は、所定の報告ウィンドウ内で１つ以上のＨＡＲＱアクノリッジメント情報を含む。
【００６７】
ある実施形態では、アップリンク制御チャネルリソースは、免許不要キャリアにおけるアップリンク制御チャネルリソースを含む。
【００６８】
ある実施形態では、ＨＡＲＱアクノリッジメント情報が報告される免許不要キャリアは、ダウンリンクデータ送信が実行される免許不要キャリアと同じであり又はそれとは異なる。
【００６９】
ある実施形態では、アップリンク制御チャネルリソースは、ＵＥへの複数のダウンリンクデータ送信に対して基地局によって予約された同じアップリンク制御チャネルリソースを含む。
【００７０】
ある実施形態では、報告部は、第１のサブフレームにおいてダウンリンクデータ送信についてスケジューリングされることに応じて、第１のサブフレームの後続の複数のサブフレームでの免許不要キャリアの送信ステータスを検出し、免許不要キャリアの送信ステータスが複数のサブフレームのうちの１つにおいてフリーステータスであることに応じて、免許不要キャリアにおいてＨＡＲＱアクノリッジメント情報を報告するようにさらに構成される。
【００７１】
ある実施形態では、アップリンク制御チャネルリソースは、ＵＥへの各ダウンリンクデータ送信に対して基地局によって独立して構成されるアップリンク制御チャネルリソースを含む。
【００７２】
ある実施形態では、報告部は、第２のサブフレームにおいてダウンリンクデータ送信についてスケジューリングされることに応じて、第２のサブフレームの後続の所定のサブフレームでの免許不要キャリアの送信ステータスを検出し、及び免許不要キャリアの送信ステータスが所定のサブフレームにおいてフリーステータスであることに応じて、その免許不要キャリアにおいてＨＡＲＱアクノリッジメント情報を報告するようにさらに構成される。
【００７３】
ある実施形態では、ＨＡＲＱアクノリッジメント情報が報告される免許不要キャリアは、基地局によって予め構成された複数の候補免許不要キャリアのうちの１つを含む。
【００７４】
ある実施形態では、複数の候補免許不要キャリアは第１の免許不要キャリア及び第２の免許不要キャリアを少なくとも含み、第１の免許不要キャリアはダウンリンクデータ送信が実行される免許不要キャリアを含み、第２の免許不要キャリアは第１の免許不要キャリアとは異なる。
【００７５】
ある実施形態では、アップリンク制御チャネルリソースは、ＵＥへの複数のダウンリンクデータ送信に対して基地局によって予約された同じアップリンク制御チャネルリソースを含む。
【００７６】
ある実施形態では、報告部は、第１のサブフレームにおいてダウンリンクデータ送信についてスケジューリングされることに応じて、第１のサブフレームの後続の複数のサブフレームでの複数の候補免許不要キャリアの各々の送信ステータスを検出し、複数の候補免許不要キャリアのうちの１つの送信ステータスが複数のサブフレームのうちの１つにおいてフリーステータスであることに応じて、複数の候補免許不要キャリアのうちの１つにおいてＨＡＲＱアクノリッジメント情報を報告するようにさらに構成される。
【００７７】
ある実施形態では、アップリンク制御チャネルリソースは、ＵＥへの各ダウンリンクデータ送信について基地局によって独立して構成されるアップリンク制御チャネルリソースを含む。
【００７８】
ある実施形態では、報告部は、第２のサブフレームにおいてダウンリンクデータ送信についてスケジューリングされることに応じて、第２のサブフレームの後続の所定のサブフレームでの複数の候補免許不要キャリアの各々の送信ステータスを検出し、複数の候補免許不要キャリアのうちの１つの送信ステータスが所定のサブフレームにおいてフリーステータスであることに応じて、複数の候補免許不要キャリアのうちの１つにおいてＨＡＲＱアクノリッジメント情報を報告するようにさらに構成される。
【００７９】
ある実施形態では、所定の報告ウィンドウは、アップリンク制御情報フォーマット、コードワード数、及びＵＥによって使用されるＨＡＲＱアクノリッジメント情報の報告のための統合された免許不要キャリア数に基づいて暗示的に決定される。
【００８０】
ある実施形態では、装置は、アップリンク制御チャネルリソースの表示を搬送する制御コマンドを基地局から受信するように構成された受信部をさらに備える。
【００８１】
ある実施形態では、報告ウィンドウは、制御コマンドを介して構成される。
【００８２】
ある実施形態では、アップリンク制御チャネルリソースは、ＵＥのサービングセルにおいて免許キャリアにおけるアップリンク制御チャネルリソースを備える。
【００８３】
ある実施形態では、受信部は、所定のアップリンクサブフレームで免許キャリアにおいてＨＡＲＱアクノリッジメント情報を報告するように、免許不要キャリアから免許キャリアに切り替えるようＵＥに指示するトリガコマンドを基地局から受信するようにさらに構成される。
【００８４】
ある実施形態では、トリガコマンドは、免許キャリアにおいてアップリンク制御チャネルリソースの表示を搬送する。
【００８５】
ある実施形態では、アップリンク制御チャネルリソースの表示は、アップリンク制御チャネルリソースのインデックス及び所定のアップリンクサブフレームのインデックスを含む。
【００８６】
ある実施形態では、アップリンク制御チャネルリソースの表示はアップリンク制御チャネルリソースのインデックスを含み、所定のアップリンクサブフレームのインデックスはトリガコマンドが送信されるサブフレームの位置に基づいて決定される。
【００８７】
本開示の実施形態は、ＨＡＲＱアクノリッジメント情報フィードバックの信頼性を高めるとともにそのレイテンシを減少させることができる。さらに、本開示の実施形態は、ＬＡＡのシナリオに対してのみ適用され得るものではなく、免許不要キャリアにおけるスタンドアロンＬＡＡアクセスシナリオにも拡張され得る。またさらに、本開示の実施形態は、免許不要キャリアにおけるＬＡＡ二次セルへのＰＵＣＣＨ送信を負荷軽減することができる。
【００８８】
添付図面における詳細な説明を通じて、本開示の実施形態の構成、有利な効果及び他の態様がより明らかとなる。本開示の幾つかの実施形態が、本開示を限定するのではなく、概略的に説明される。
【図面の簡単な説明】
【００８９】
【図１】図１は、本開示の実施形態の第１の態様によるＨＡＲＱアクノリッジメント情報のフィードバックを取得する方法のフローチャートを示す。
【図２】図２は、本開示の実施形態の第２の態様によるＨＡＲＱアクノリッジメント情報を報告する方法のフローチャートを示す。
【図３】図３は、本開示の実施形態の一代替解決手段によるＬＡＡ  ＳＣｅｌｌにおけるＨＡＲＱタイミングを示す。
【図４】図４は、本開示の実施形態の他の代替解決手段によるＬＡＡ  ＳＣｅｌｌにおけるＨＡＲＱタイミングを示す。
【図５】図５は、本開示の実施形態の更なる代替解決手段によるＬＡＡ  ＳＣｅｌｌにおけるＨＡＲＱタイミングを示す。
【図６】図６は、本開示の実施形態の更なる代替解決手段によるＬＡＡ  ＳＣｅｌｌにおけるＨＡＲＱタイミングを示す。
【図７】図７は、本開示の実施形態の更なる代替解決手段によるＬＡＡ  ＳＣｅｌｌにおけるＨＡＲＱタイミングを示す。
【図８】図８は、本開示の実施形態の第３の態様によるＨＡＲＱアクノリッジメント情報のフィードバックを取得する装置のブロック図を示す。
【図９】図９は、本開示の実施形態の第４の態様によるＨＡＲＱアクノリッジメント情報を報告する装置のブロック図を示す。
【発明を実施するための形態】
【００９０】
ここに開示される主題の原理を、幾つかの実施形態を参照してここに説明する。実施形態は、主題の範囲をいかなる態様にも限定するものではなく、当業者に主題をより深く理解して実施させるためのみに記載される。
【００９１】
ここで使用する用語「基地局」（ＢＳ）は、ノードＢ（ＮｏｄｅＢ又はＮＢ）、エボルブドＮｏｄｅＢ（ｅＮｏｄｅＢ、ｅＮＢ）、リモート無線ユニット（ＲＲＵ）、無線ヘッド（ＲＨ）、リモート無線ヘッド（ＲＲＨ）、リピータ、又はピコセル、フェムトセルなどのような低電力ノードを表し得る。
【００９２】
ここで使用する用語「ユーザ機器（ＵＥ）」は、ＢＳと通信可能な任意のデバイスをいう。一例として、ＵＥは、端末、モバイル端末（ＭＴ）、加入者局（ＳＳ）、可搬加入者局（ＰＳＳ）、モバイル局（ＭＳ）又はアクセス端末（ＡＴ）からなり得る。
【００９３】
本開示の実施形態の第１の態様によると、ＨＡＲＱアクノリッジメント情報のフィードバックを取得するための方法が提供される。図１は、本開示の実施形態の第１の態様によるＨＡＲＱアクノリッジメント情報のフィードバックを取得するための方法１００のフローチャートを示す。方法１００は、無線通信ネットワークにおいてｅＮＢによって実行されることができ、特に、方法１００は、以降の図８を参照して説明する装置８００によって実行され得る。
【００９４】
方法１００は、ブロックＳ１１０で開始する。ブロックＳ１１０において、ｅＮＢは、免許不要キャリアにおいてダウンリンクデータ送信に関するＨＡＲＱアクノリッジメント情報のレポートのためのアップリンク制御チャネルリソースをユーザ機器（ＵＥ）に割り当てる。ダウンリンクデータ送信の例は、ただし限定することなく、物理ダウンリンク共有チャネル（ＰＤＳＣＨ）送信を含む。免許不要キャリアにおけるダウンリンクデータ送信に関するＨＡＲＱアクノリッジメント情報の報告のためのアップリンク制御チャネルリソースの例は、ただし限定することなく、物理アップリンク制御チャネル（ＰＣＣＣＨ）リソースを含む。ＨＡＲＱアクノリッジメント情報の例は、ただし限定することなく、ＨＡＲＱアクノリッジメント（ＨＡＲＱ−ＡＣＫ）及びＨＡＲＱ否定アクノリッジメント（ＨＡＲＱ−ＮＡＣＫ）を含む。
【００９５】
ブロックＳ１２０において、ｅＮＢは、所定の延期ウィンドウ内でＨＡＲＱアクノリッジメント情報のフィードバックを取得する。所定の延期ウィンドウは、ＨＡＲＱアクノリッジメント情報の報告のための最小遅延及び最大遅延を指定する。
【００９６】
ｅＮＢは、最小遅延及び最大遅延を予め定義し、又は制御シグナリングを介してＵＥのサービングセルによって最小遅延及び最大遅延を準静的若しくは動的に構成してもよい。制御シグナリングの例として、ただし限定することなく、無線リソース制御（ＲＲＣ）シグナリング及びレイヤ１（Ｌ１）シグナリングを含む。一例として、最小遅延は４ｍｓであり、最大遅延は４０ｍｓ又は４００ｍｓであればよい。最小遅延及び最大遅延は任意の適切な値をとり得ることが理解されるべきであり、本開示の範囲はこの点に限定されない。
【００９７】
係属中のＨＡＲＱアクノリッジメント情報を延期ウィンドウ内でサービング基地局に報告にできない場合には、ＵＥはＨＡＲＱアクノリッジメント情報のフィードバックを破棄する。ここで使用する「係属中のＨＡＲＱアクノリッジメント情報」とは、ｅＮＢに報告されるべきであるが未だ報告されていない免許不要キャリアでのダウンリンクデータ送信に関するＨＡＲＱアクノリッジメント情報をいう。
【００９８】
ある実施形態では、ＨＡＲＱアクノリッジメント情報は、所定の報告ウィンドウ内の１つ以上のＨＡＲＱアクノリッジメント情報を含む。本開示によると、所定の報告ウィンドウは、ＵＥがチャネルを獲得した後にどの係属中のＨＡＲＱアクノリッジメント情報が報告され得るかを示すことができる。言い換えると、ＵＥは、所定の報告ウィンドウに基づいて、全ての係属中ＨＡＲＱアクノリッジメント情報をｅＮＢに報告するのか、又は全ての係属中のＨＡＲＱアクノリッジメント情報の一部のみをｅＮＢに報告するのかを決定することができる。
【００９９】
ある実施形態では、アップリンク制御チャネルリソースをＵＥに割り当てることは、免許不要キャリアにおけるアップリンク制御チャネルリソースをＵＥに割り当てることを備える。言い換えると、ＵＥは、免許不要キャリアにおけるＨＡＲＱアクノリッジメント情報を報告する。この場合、所定の報告ウィンドウは、アップリンク制御情報（ＵＣＩ）フォーマット、コードワード数及びＵＥによって使用されるＨＡＲＱアクノリッジメント情報の報告のための統合免許不要キャリア数に基づいて暗示的に決定され得る。
【０１００】
ある実施形態では、ｅＮＢは、制御シグナリングを介して報告ウィンドウを構成する。制御シグナリングの例は、ただし限定することなく、無線リソース制御（ＲＲＣ）シグナリング及びレイヤ１（Ｌ１）シグナリングを含む。
【０１０１】
本開示の実施形態の第２の態様によると、ＨＡＲＱアクノリッジメント情報を報告するための方法が提供される。図２は、本開示の実施形態の第２の態様によるＨＡＲＱアクノリッジメント情報を報告するための方法２００のフローチャートを示す。方法２００は、無線通信ネットワークにおいてＵＥによって実行可能であり、特に、方法２００は図９を参照して後述する装置９００によって実行可能である。
【０１０２】
方法２００は、ブロックＳ２１０で開始する。ブロックＳ２１０において、ＵＥは、免許不要キャリアでのダウンリンクデータ送信に関するＨＡＲＱアクノリッジメント情報の報告のためのアップリンク制御チャネルリソースをｅＮＢから取得する。
【０１０３】
ブロックＳ２２０において、ＵＥは、アップリンク制御チャネルリソースを用いて所定の延期ウィンドウ内でＨＡＲＱアクノリッジメント情報を報告する。所定の延期ウィンドウは、ＨＡＲＱアクノリッジメント情報の報告のための最小遅延及び最大遅延を指定する。上述したように、係属中のＨＡＲＱアクノリッジメント情報が延期ウィンドウ内でサービング基地局に報告できない場合には、ＵＥはＨＡＲＱアクノリッジメント情報のフィードバックを破棄する。
【０１０４】
ある実施形態では、ＵＥは、ＬＡＡ  ＳＣｅｌｌにおいて免許不要キャリアでのダウンリンクデータ送信に関するＨＡＲＱアクノリッジメント情報を報告する。他の実施形態では、ＵＥは、ＬＡＡ  ＰＣｅｌｌにおいて免許不要キャリアでのダウンリンクデータ送信に関するＨＡＲＱアクノリッジメント情報を報告する。
【０１０５】
以降において、本開示による３つの実施形態を参照して方法１００及び２００の詳細を説明する。上述したように、ダウンリンクデータ送信の例は、ただし限定することなく、ＰＤＳＣＨ送信を含み、免許不要キャリアでのダウンリンクデータ送信に関するＨＡＲＱアクノリッジメント情報の報告のためのアップリンク制御チャネルリソースの例は、ただし限定することなく、ＰＵＣＣＨリソースを含む。ＰＤＳＣＨ送信及びＰＵＣＣＨリソースを本開示による３つの実施形態を説明するための例として用いるが、当業者であれば、本開示による解決手段が他のダウンリンクデータ送信及び他のアップリンク制御チャネルリソースにも適用され得ることを理解するはずである。本開示の範囲は、この点において限定されない。
【０１０６】
第１の実施形態
第１の実施形態では、アップリンク制御チャネルリソースをＵＥに割り当てることは、免許不要キャリアにおけるアップリンク制御チャネルリソースをＵＥに割り当てることを備える。したがって、ＵＥは、ＬＡＡ  ＳＣｅｌｌにおいて免許不要キャリアでのＰＤＳＣＨ送信に関するＨＡＲＱアクノリッジメント情報を報告する。さらに、第１の実施形態では、免許不要キャリアは、ＰＤＳＣＨ送信が実行される免許不要キャリアを備える。言い換えると、ＵＥは、ＰＤＳＣＨ送信が実行される免許不要キャリアと同じ免許不要キャリアにおいてＨＡＲＱアクノリッジメント情報を報告する。
【０１０７】
第１の実施形態によると、ＨＡＲＱアクノリッジメント情報が送信される必要があるサブフレームにおいてＵＥがＬＡＡ  ＳＣｅｌｌにおけるチャネルを獲得できない場合、ＨＡＲＱアクノリッジメント情報の報告は同じ免許不要キャリアにおいて延期される。この目的のため、ＨＡＲＱアクノリッジメント情報フィードバックの延期に起因して複数のＵＥ間でのＰＵＣＣＨリソースの衝突を回避するためにＰＵＣＣＨのリソース割当てについて２つの代替解決手段があり得る。
【０１０８】
第１の代替解決手段
第１の代替解決手段では、ｅＮＢが、ＵＥに対する複数のＰＤＳＣＨ送信に対して同じＰＵＣＣＨリソースを予約する。
【０１０９】
あるＵＥがＬＡＡ  ＳＣｅｌｌにおけるＰＤＳＣＨ送信に対してスケジューリングされると、ｅＮＢは、ＵＥへの後続の複数のＰＤＳＣＨ送信に関して、ＨＡＲＱアクノリッジメント情報フィードバックに対して同じＰＵＣＣＨリソースを予約することになる。
【０１１０】
ｅＮＢは、ＬＡＡ  ＳＣｅｌｌにおける割当てＰＵＣＣＨリソースの表示を搬送する制御シグナリングをＵＥに送信することができる。制御シグナリングの例は、限定することなく、無線リソース制御（ＲＲＣ）シグナリング及びレイヤ１（Ｌ１）シグナリングを含む。一例として、ｅＮＢは、ＲＲＣシグナリングを介して、ＬＡＡ  ＳＣｅｌｌにおけるＨＡＲＱアクノリッジメント情報フィードバックのためのＰＵＣＣＨリソースを準静的に構成する。他の例として、ｅＮＢは、ダウンリンク制御情報（ＤＣＩ）におけるＬ１シグナリングを介して、ＬＡＡ  ＳＣｅｌｌにおけるＨＡＲＱアクノリッジメント情報フィードバックのためのＰＵＣＣＨリソースを動的に構成する。ＰＵＣＣＨリソースの表示の例は、ただし限定することなく、ＰＵＣＣＨリソースのインデックスを含む。
【０１１１】
ＰＤＳＣＨ送信が実行されるサブフレームの後続のサブフレームの１つにおいてＵＥがチャネルを獲得する場合、ＵＥは、予約ＰＵＣＣＨリソースを用いてアップリンク制御情報（ＵＣＩ）を介して、所定の報告ウィンドウ内の係属中のＨＡＲＱアクノリッジメント情報をｅＮＢに報告する。
【０１１２】
図３に、第１の代替解決手段によるＬＡＡ  ＳＣｅｌｌにおけるＨＡＲＱタイミングを概略的に示す。
【０１１３】
図３に示すように、ＵＥ＃ｋが、免許不要キャリアにおけるサブフレーム＃ｎ及び＃ｎ＋２でのダウンリンクデータ送信のためにスケジューリングされる。サブフレーム＃ｎ及び＃ｎ＋２でのダウンリンクデータ送信に関するＨＡＲＱアクノリッジメント情報は、一般に、免許キャリアにおける旧来のＨＡＲＱタイミング手順によるＬＡＡ  ＳＣｅｌｌにおいてサブフレーム＃ｎ＋４及び＃ｎ＋６で報告されるものとする。
【０１１４】
サブフレーム＃ｎ＋４及び＃ｎ＋６の送信の前にＬＢＴが失敗するにつれて、サブフレーム＃ｎ及びサブフレーム＃ｎ＋２でのダウンリンクデータ送信に関するＨＡＲＱアクノリッジメント情報の報告は、図３に示すようにＬＢＴが後続のＵＬサブフレームの１つ（すなわち、サブフレーム＃ｎ＋８）において成功するまで、同じ免許不要キャリアにおいて延期されることになる。
【０１１５】
ＵＥがチャネルを獲得すると、ＵＥは予約ＰＵＣＣＨリソースを用いてサブフレーム＃ｎ及びサブフレーム＃ｎ＋２におけるダウンリンクデータ送信に関するＨＡＲＱアクノリッジメント情報をｅＮＢに報告する。
【０１１６】
第２の代替解決手段
第２の代替解決手段では、ｅＮＢは、ＬＡＡ  ＳＣｅｌｌにおけるＵＥに対する各ＰＤＳＣＨ送信のためのＰＵＣＣＨリソースを独立して構成する。一例として、ｅＮＢは、ＤＣＩにおけるＬ１シグナリングを介して、ＬＡＡ  ＳＣｅｌｌにおけるＨＡＲＱアクノリッジメント情報フィードバックのためのＰＵＣＣＨリソースを構成する。
【０１１７】
ＨＡＲＱアクノリッジメント情報が旧来のＨＡＲＱタイミング手順に従って報告される必要があるサブフレームにおいてＵＥがＬＡＡ  ＳＣｅｌｌにおけるチャネルを獲得できない場合、ＨＡＲＱアクノリッジメント情報は、ＵＥが所定のＵＬサブフレームでチャネルを獲得するまで、同じ免許不要キャリアにおいて報告されるように延期されることになる。この場合、ＵＥがチャネルを獲得するサブフレームにおけるＨＡＲＱアクノリッジメント情報フィードバックに対して割り当てられたＰＵＣＣＨリソースは、所定の報告ウィンドウ内で係属中のＨＡＲＱアクノリッジメント情報を報告するのに利用される。
【０１１８】
図４に、第２の代替解決手段によるＬＡＡ  ＳＣｅｌｌにおけるＨＡＲＱタイミングを概略的に示す。
【０１１９】
図４に示すように、ＵＥ＃ｋが、免許不要キャリアにおけるサブフレーム＃ｎ及び＃ｎ＋２でのダウンリンクデータ送信のためにスケジューリングされる。サブフレーム＃ｎ及び＃ｎ＋２でのダウンリンクデータ送信に関するＨＡＲＱアクノリッジメント情報は、一般に、免許キャリアにおける旧来のＨＡＲＱタイミング手順によるＬＡＡ  ＳＣｅｌｌにおいてサブフレーム＃ｎ＋４及び＃ｎ＋６で報告されることになる。
【０１２０】
サブフレーム＃ｎ＋４の前にＬＢＴが失敗するにつれて、サブフレーム＃ｎでのダウンリンクデータ送信に関するＨＡＲＱアクノリッジメント情報の報告は、サブフレーム＃ｎ＋２でのダウンリンクデータ送信に関するＨＡＲＱアクノリッジメント情報のみが旧来のＨＡＲＱタイミング手順に基づいて報告される必要があるサブフレーム＃ｎ＋６でのＬＢＴが成功するまで、同じ免許不要キャリアにおいて延期されることになる。
【０１２１】
第２の代替解決手段によると、ＵＥがサブフレーム＃ｎ＋６でチャネルを獲得すると、ＵＥは予約ＰＵＣＣＨリソースを用いてサブフレーム＃ｎ及びサブフレーム＃ｎ＋２でのダウンリンクデータ送信に関するＨＡＲＱアクノリッジメント情報をｅＮＢに報告する。
【０１２２】
第１の代替解決手段と第２の代替解決手段の間の比較から、第１の代替解決手段は、ＨＡＲＱアクノリッジメント情報フィードバックのより多くの送信機会及び少ないレイテンシを有することになることが分かる。さらに、第２の代替解決手段は、ＵＥに対して特定のＰＵＣＣＨリソースをそのスケジューリング後に予約する必要があり、これは利用可能なＰＵＣＣＨリソースが充分でない場合にスケジューリングの柔軟性を制限する。
【０１２３】
第２の実施形態
ＨＡＲＱアクノリッジメント情報フィードバックのレイテンシを減少させて信頼性を高めるために、第２の実施形態では、免許不要キャリアにおけるＰＤＳＣＨ送信に関するＨＡＲＱアクノリッジメント情報は、ＬＡＡ  ＳＣｅｌｌにおける免許不要キャリアと免許セル（例えば、ＰＣｅｌｌ）における免許キャリアとの間で動的に切り替えられ得る。
【０１２４】
一般に、ＵＥは、ＬＡＡ  ＳＣｅｌｌを介した免許不要キャリアにおいてサービングセルのＨＡＲＱアクノリッジメント情報を報告する。ＰＵＣＣＨリソースがサービングセルにおいて免許キャリアで所定ＵＬサブフレームにおいて利用可能である場合、サービングｅＮＢはＵＥにトリガコマンドを送信することができる。トリガコマンドは、ＨＡＲＱアクノリッジメント情報を報告するように免許不要キャリアから免許キャリアに切り替えることをＵＥに指示する。トリガコマンドの例は、ただし限定することなく、Ｌ１シグナリングを含む。トリガコマンドは、免許キャリアにおけるＰＵＣＣＨリソースの表示を搬送することができる。
【０１２５】
一例として、ＰＵＣＣＨリソースの表示は、ＰＵＣＣＨリソースのインデックス及び所定のアップリンクサブフレームのインデックスを含む。
【０１２６】
他の例として、ＰＵＣＣＨリソースの表示は、ＰＵＣＣＨリソースのインデックスを含む。所定のアップリンクサブフレームのインデックスは、トリガコマンドが送信されるサブフレームの位置に基づいて決定される。例えば、トリガコマンドがＰＣｅｌｌのサブフレーム＃ｎで送信される場合には、ＨＡＲＱアクノリッジメント情報を報告するのにサブフレーム＃ｎ後の最初のサブフレーム（すなわち、サブフレーム＃ｎ＋１）が利用され得る。ｍを１以上の正の整数として、トリガコマンドが送信されるサブフレーム後のｍ番目のサブフレームはＨＡＲＱアクノリッジメント情報を報告するために予め定義され得ることが分かる。本開示の範囲は、この点において限定されない。
【０１２７】
図５に、第２の実施形態によるＬＡＡ  ＳＣｅｌｌにおけるＨＡＲＱタイミングを概略的に示す。
【０１２８】
図５に示すように、ＵＥ＃ｋは、免許不要キャリアにおいてサブフレーム＃ｎ及びサブフレーム＃ｎ＋２でのダウンリンクデータ送信についてスケジューリングされる。一般に、サブフレーム＃ｎ及び＃ｎ＋２でのダウンリンクデータ送信に関するＨＡＲＱアクノリッジメント情報は、免許キャリアにおける旧来のＨＡＲＱタイミング手順に従ってＬＡＡ  ＳＣｅｌｌにおいてサブフレーム＃ｎ＋４及びサブフレーム＃ｎ＋６で報告されるはずである。
【０１２９】
サブフレーム＃ｎ＋４からサブフレーム＃ｎ＋７の前の各サブフレームについてＬＢＴが失敗するにつれて、サブフレーム＃ｎ及びサブフレーム＃ｎ＋２でのダウンリンクデータ送信に関するＨＡＲＱアクノリッジメント情報の報告は、ＬＢＴが成功するまで同じ免許不要キャリアにおいて延期されることになる。
【０１３０】
旧来のＨＡＲＱタイミング手順によると、サブフレーム＃ｎ＋２でのダウンリンクデータ送信に関するＨＡＲＱアクノリッジメント情報のみが、サブフレーム＃ｎ＋６で報告される必要がある。
【０１３１】
サブフレーム＃ｎ及びサブフレーム＃ｎ＋２でのダウンリンクデータ送信に関するＨＡＲＱアクノリッジメント情報はサブフレーム＃ｎ＋７において報告されることを未だ延期されているため、第２の実施形態によると、ｅＮＢは、ＰＵＣＣＨリソースがＰＣｅｌｌにおいて利用可能であると判定される場合に、トリガシグナリングをＵＥ＃ｋにＬ１シグナリングを介して送信して、サブフレーム＃ｎ＋８においてＬＡＡ  ＳＣｅｌｌからＰＣｅｌｌへの係属中のＨＡＲＱアクノリッジメント情報の報告をトリガする。
【０１３２】
トリガコマンドを受信した後、ＵＥ＃ｋは、構成されたＰＵＣＣＨリソースを用いて、係属中のＨＡＲＱアクノリッジメント情報、例えば、サブフレーム＃ｎ及びサブフレーム＃ｎ＋２でのダウンリンクデータ送信に関するＨＡＲＱアクノリッジメント情報を、サブフレーム＃ｎ＋８でＰＣｅｌｌを介してｅＮＢに報告する。
【０１３３】
第３の実施形態
ＬＡＡ  ＳＣｅｌｌにおけるＨＡＲＱアクノリッジメント情報フィードバックの機会を増加させるために、第３の実施形態では、ｅＮＢは、制御シグナリング（例えば、ＲＲＣシグナリング）を介してジョイントＨＡＲＱアクノリッジメント情報フィードバックのために複数のＬＡＡ  ＳＣｅｌｌ（すなわち、複数の免許不要キャリア）を予め構成することができる。
【０１３４】
この場合、ＵＥは、複数の候補免許不要キャリアのうちの１つを介して、ＵＥがこの免許不要キャリアにおけるチャネルを獲得した場合にのみ、所定の報告ウィンドウ内で係属中のＨＡＲＱアクノリッジメント情報を報告することができる。この目的のため、ＨＡＲＱアクノリッジメント情報のレイテンシに起因する複数のＵＥ間でＰＵＣＣＨリソースの衝突を回避するように、ＰＵＣＣＨのリソース割当てについて以下の２つの代替解決手段があり得る。
【０１３５】
第１の代替解決手段
ＰＵＣＣＨリソースの割当ての観点において、第３の実施形態の第１の代替解決手段は、図３を参照して上述した第１の実施形態の第１の代替解決手段と同様であることが理解できる。
【０１３６】
具体的には、ｅＮＢは、複数の候補ＬＡＡ  ＳＣｅｌｌにおけるＨＡＲＱアクノリッジメント情報フィードバックについて同じＰＵＣＣＨリソースを予約する。ｅＮＢは、ＰＵＣＣＨリソースの表示（例えば、ＰＵＣＣＨリソースのインデックス）をＵＥにＬ１シグナリング又は上位レイヤＲＲＣシグナリングを介してシグナリングすることができる。
【０１３７】
ＵＥがダウンリンクデータ送信について第１のサブフレームにおいてスケジューリングされている場合、ＵＥは、第１のサブフレームの後続の複数のサブフレームにおける複数の免許不要キャリアの各々の送信ステータスを検出することができる。複数の免許不要キャリアの１つの送信ステータスが複数のサブフレームの１つにおいてフリーステータスである場合には、ＵＥは予約ＰＵＣＣＨリソースを用いて、係属中のＨＡＲＱアクノリッジメント情報を当該１つの免許不要キャリアにおける所定の報告ウィンドウ内で報告することができる。
【０１３８】
図６に、第１の代替解決手段によるＬＡＡ  ＳＣｅｌｌにおけるＨＡＲＱタイミングを概略的に示す。
【０１３９】
図６に示すように、２つのＬＡＡ  ＳＣｅｌｌ（ＬＡＡ  ＳＣｅｌｌ＃１及び＃２）が、上位レイヤＲＲＣシグナリングを介してジョイントＨＡＲＱアクノリッジメント情報フィードバックについて構成される。ＵＥ＃ｋは、ＬＡＡ  ＳＣｅｌｌ＃１におけるサブフレーム＃ｎ＋１において、並びにＬＡＡ  ＳＣｅｌｌ＃２におけるサブフレーム＃ｎ及びサブフレーム＃ｎ＋２においてダウンリンクデータ送信についてスケジューリングされる。
【０１４０】
免許キャリアにおける旧来のＨＡＲＱタイミング手順によると、サブフレーム＃ｎ＋１でのダウンリンクデータ送信に関するＨＡＲＱアクノリッジメント情報は、通常はＬＡＡ  ＳＣｅｌｌ＃１におけるサブフレーム＃５で報告されるはずであり、サブフレーム＃ｎ及び＃ｎ＋２でのダウンリンクデータ送信に関するＨＡＲＱアクノリッジメント情報は、それぞれＬＡＡ  ＳＣｅｌｌ＃２におけるサブフレーム＃ｎ＋４及び＃ｎ＋６で報告されるはずである。
【０１４１】
第１の代替解決手段によると、ｅＮＢは、複数の候補ＬＡＡ  ＳＣｅｌｌにおいてＵＥに対してＨＡＲＱアクノリッジメント情報フィードバックについて同じＰＵＣＣＨリソースを予約する。
【０１４２】
複数の候補ＬＡＡ  ＳＣｅｌｌのうちのいずれかにおけるＰＤＳＣＨ送信に関するＨＡＲＱアクノリッジメント情報がＵＬサブフレームにおいて報告される必要がある場合、ＵＥ＃ｋは複数の候補ＬＡＡ  ＳＣｅｌｌの各々の送信ステータスを独立して検出することになる。
【０１４３】
例えば、図６に示すように、ＨＡＲＱアクノリッジメント情報がＬＡＡ  ＳＣｅｌｌ＃２についてサブフレーム＃ｎ＋４で報告される必要がある場合、ＵＥはＬＡＡ  ＳＣｅｌｌ＃１及びＬＡＡ  ＳＣｅｌｌ＃２の双方においてサブフレーム＃ｎ＋４でのＨＡＲＱアクノリッジメント情報のフィードバックの前にＬＢＴを実行することになる。ＵＥ＃ｋがＬＡＡ  ＳＣｅｌｌ＃１及び＃２の双方においてチャネルを獲得することができない場合、ＨＡＲＱアクノリッジメント情報フィードバックは、後続のＵＬサブフレームの１つでＬＡＡ  ＳＣｅｌｌ＃１及び＃２のいずれかにおいてＬＢＴが成功するまで、２つの候補免許不要キャリアにおいて延期されることになる。
【０１４４】
図６に示すように、ＬＡＡ  ＳＣｅｌｌ＃１におけるサブフレーム＃ｎ＋１及びＬＡＡ  ＳＣｅｌｌ＃２におけるサブフレーム＃ｎ及びサブフレーム＃ｎ＋２においてＰＤＳＣＨ送信に関するＨＡＲＱアクノリッジメント情報のフィードバックは、ＵＥがサブフレーム＃ｎ＋８においてＬＡＡ  ＳＣｅｌｌ＃１でチャネルを獲得するまで延期されることになる。そして、予約ＰＵＣＣＨリソースを用いて、ＬＡＡ  ＳＣｅｌｌ＃１におけるサブフレーム＃ｎ＋８においてサービングｅＮＢに２つの係属中のＨＡＲＱアクノリッジメント情報を報告する。
【０１４５】
第２の代替解決手段
ＰＵＣＣＨリソース割当ての観点において、第３の実施形態の第２の代替解決手段は図４を参照して上述した第１の実施形態の第２の代替解決手段と同様であることが理解できる。
【０１４６】
第２の代替解決手段では、ｅＮＢは、ＵＥに対する複数のＳＣｅｌｌにおける各ＰＤＳＣＨ送信のためのＰＵＣＣＨリソースを独立して構成する。一例として、ｅＮＢは、ＤＣＩにおけるＬ１シグナリングを介して複数のＬＡＡ  ＳＣｅｌｌにおけるＨＡＲＱアクノリッジメント情報フィードバックのためのＰＵＣＣＨリソースを構成する。ＵＥは、ＨＡＲＱアクノリッジメント情報が旧来のＨＡＲＱタイミング手順に従って報告される必要がある所定のサブフレームにおいてのみ、複数のＬＡＡ  ＳＣｅｌｌに対するジョイントＨＡＲＱアクノリッジメント情報フィードバックのためのチャネルを獲得しようとすることになる。
【０１４７】
ＵＥが第１のサブフレームでのダウンリンクデータ送信についてスケジューリングされる場合、ＵＥは、第１のサブフレームの後続の複数のサブフレームにおいて複数のＬＡＡ  ＳＣｅｌｌの各々の送信ステータスを検出する。複数のＬＡＡ  ＳＣｅｌｌの１つの送信ステータスが複数のサブフレームの１つにおいてフリーステータスである場合、ＵＥは、ＬＡＡ  ＳＣｅｌｌにおいて所定の報告ウィンドウ内で係属中のＨＡＲＱアクノリッジメント情報を報告する。
【０１４８】
図７に、第２の代替解決手段によるＬＡＡ  ＳＣｅｌｌにおけるＨＡＲＱタイミングを概略的に示す。
【０１４９】
図７に示すように、２つのＬＡＡ  ＳＣｅｌｌ（ＬＡＡ  ＳＣｅｌｌ＃１及び＃２）が、上位レイヤＲＲＣシグナリングを介してジョイントＨＡＲＱアクノリッジメント情報フィードバックについて構成される。ＵＥ＃ｋは、ＬＡＡ  ＳＣｅｌｌ＃１におけるサブフレーム＃ｎ＋１及びＬＡＡ  ＳＣｅｌｌ＃２におけるサブフレーム＃ｎ及びサブフレーム＃ｎ＋２でダウンリンクデータ送信についてスケジューリングされる。
【０１５０】
免許キャリアにおける旧来のＨＡＲＱタイミング手順について、サブフレーム＃ｎ＋１でのダウンリンクデータ送信に関するＨＡＲＱアクノリッジメント情報は一般にＬＡＡ  ＳＣｅｌｌ＃１においてサブフレーム＃５で報告されるはずであり、サブフレーム＃ｎ及びサブフレーム＃ｎ＋２でのダウンリンクデータ送信に関するＨＡＲＱアクノリッジメント情報は一般にＬＡＡ  ＳＣｅｌｌ＃２においてサブフレーム＃ｎ＋４及び＃ｎ＋６で報告されるはずである。
【０１５１】
第２の代替解決手段によると、図７に示すように、ＵＥ＃ｋは、ＳＣｅｌｌ＃１におけるサブフレーム＃ｎ＋５並びにＳＣｅｌｌ＃２でのサブフレーム＃ｎ＋４及びサブフレーム＃ｎ＋５でのＵＬ送信の前にＬＢＴを実行することになる。ＵＥ＃ｋがＬＡＡ  ＳＣｅｌｌ＃１におけるサブフレーム＃ｎ＋５及びＬＡＡ  ＳＣｅｌｌ＃２におけるサブフレーム＃ｎ＋４でチャネルを獲得することに失敗するにつれて、ＬＡＡ  ＳＣｅｌｌ＃１におけるサブフレーム＃ｎ＋１及びＬＡＡ  ＳＣｅｌｌ＃２におけるサブフレーム＃ｎでのＰＤＳＣＨ送信に関するＨＡＲＱアクノリッジメント情報のフィードバックは、ＵＥがＬＡＡ  ＳＣｅｌｌ＃２におけるサブフレーム＃ｎ＋６でチャネルを獲得するまで延期されることになる。続いて、ＵＥは、ＬＡＡ  ＳＣｅｌｌ＃２におけるサブフレーム＃ｎ＋６で構成されるものとしてＨＡＲＱアクノリッジメント情報を報告するためにＰＵＣＣＨリソースを用いて、これら２つのＬＡＡ  ＳＣｅｌｌについての係属中のＨＡＲＱアクノリッジメント情報をＬＡＡ  ＳＣｅｌｌ＃２におけるサブフレーム＃ｎ＋６でサービングｅＮＢに報告する。
【０１５２】
本開示による上記第１、第２及び第３の実施形態は、ＬＡＡ  ＳＣｅｌｌにおけるＨＡＲＱアクノリッジメント情報フィードバックのサポートのために独立して使用され、又は組み合わせられてもよい。さらに、本開示による解決手段は、ＬＡＡシナリオに対して可能であるだけでなく、免許不要キャリアにおけるスタンドアロンＬＡＡアクセスシナリオにも拡張可能である。
【０１５３】
本開示の実施形態の第３の態様によると、ハイブリッド自動反復要求ＨＡＲＱアクノリッジメント情報フィードバックを取得するための方法が提供される。図８に、本開示の実施形態の第３の態様によるＨＡＲＱアクノリッジメント情報のフィードバックを取得するための装置８００のブロック図を示す。装置８００は、例えば、ｅＮＢにおいて実施され得る。
【０１５４】
図８に示すように、装置８００は、免許不要キャリアにおけるダウンリンクデータ送信に関するＨＡＲＱアクノリッジメント情報の報告のためのアップリンク制御チャネルリソースをユーザ機器（ＵＥ）に割り当てるように構成された割当て部８１０、及び所定の延期ウィンドウ内でＵＥからＨＡＲＱアクノリッジメント情報のフィードバックを取得するように構成されたフィードバック取得部８２０を備え、所定の延期ウィンドウはＨＡＲＱアクノリッジメント情報の報告についての最小遅延及び最大遅延を指定する。
【０１５５】
第４の態様では、ＨＡＲＱアクノリッジメント情報を報告するための装置が提供される。図９に、本開示の実施形態の第４の態様によるＨＡＲＱアクノリッジメント情報を報告するための装置９００のブロック図を示す。装置９００は、例えば、ＵＥにおいて実施され得る。
【０１５６】
図９に示すように、装置９００は、免許不要キャリアでのダウンリンクデータ送信に関するＨＡＲＱアクノリッジメント情報の報告のためのアップリンク制御チャネルリソースを基地局から取得するように構成されたリソース取得部９１０、及びアップリンク制御チャネルリソースを用いて所定の延期ウィンドウ内でＨＡＲＱアクノリッジメント情報を報告するように構成された報告部９２０を備え、所定の延期ウィンドウはＨＡＲＱアクノリッジメント情報の報告のための最小遅延及び最大遅延を指定する。
【０１５７】
概略として、本開示の種々の実施形態は、ハードウェア若しくは特定用途回路、ソフトウェア、ロジック又はこれらのいずれかの組合せにおいて実施され得る。ある態様はハードウェアにおいて実施され得るが、他の態様はコントローラ、マイクロプロセッサ又は他のコンピューティングデバイスによって実行され得るファームウェア又はソフトウェアにおいて実施され得る。本開示の実施形態の種々の態様をブロック図、フローチャート又は他の何らかの絵図表現として図示及び説明したが、ここに記載されるブロック、装置、システム、技術又は方法は、非限定的な例として、ハードウェア、ソフトウェア、ファームウェア、特定用途回路又はロジック、汎用ハードウェア若しくはコントローラ又は他のコンピューティングデバイス、又はこれらの何らかの組合せにおいて実施され得る。
【０１５８】
フローチャートにおける種々のブロックを、コンピュータプログラムコードの動作によって生成される方法ステップ及び／若しくは動作とみなすことができ、並びに／又は関連の機能を実行する複数の結合ロジック回路要素として解釈することができる。例えば、本開示の実施形態はコンピュータプログラム製品を備え、それは機械可読媒体において有形的に具現されるコンピュータプログラムを含み、コンピュータプログラムは上記方法を実施するように構成されたプログラムコードを含む。
【０１５９】
本開示の背景において、機械可読媒体は、命令実行システム、装置若しくはデバイスによる又はそれに接続されての使用のためのプログラムを内包又は記憶することができる任意の有形媒体であってもよい。機械可読媒体は、機械可読信号媒体又は機械可読記憶媒体となり得る。機械可読媒体は、ただし限定することなく、電子、磁気、光、電磁、赤外又は半導体システム、装置若しくはデバイス又は上記の任意の適切な組合せを含み得る。機械可読記憶媒体のより具体的な例は、１本以上の配線を有する電気接続体、可搬コンピュータディスケット、ハードディスク、ランダムアクセスメモリ（ＲＡＭ）、読取り専用メモリ（ＲＯＭ）、消去可能プログラマブル読取り専用メモリ（ＥＰＲＯＭ又はフラッシュメモリ）、光ファイバ、可搬コンパクトディスク読取り専用メモリ（ＣＤ−ＲＯＭ）、光記憶デバイス、磁気記憶デバイス又は上記の任意の適切な組合せを含むことになる。
【０１６０】
本開示の方法を実行するためのプログラムコードは、１以上のプログラム言語の任意の組合せによって記述され得る。これらのプログラムコードは、汎用コンピュータ、特定用途コンピュータ若しくは他のプログラム可能なデータ処理装置のプロセッサ又はコントローラに、そのプロセッサ又はコントローラによって実行されると、フローチャート及び／又はブロック図において指定される機能／動作がプログラムコードによって実施されるように提供され得る。プログラムコードは、機械において全体的に、機械において部分的に、スタンドアロンソフトウェアパッケージとして、機械において部分的に及び遠隔機械において部分的に、又は遠隔機械若しくはサーバにおいて全体的に実行可能である。
【０１６１】
また、動作が特定の順序で図示されるが、そのような動作が、所望の結果を得るために図示される特定の順序若しくは順次的な順序で実行されること又は説明する全ての動作が実行されることを要件とするものと理解されるべきではない。環境によっては、マルチタスク及び並列処理が有利となり得る。同様に、幾つかの特定の実施の詳細が上記説明に含まれるが、これらは本開示の範囲において限定として解釈されるべきではなく、特定の実施形態に特有となり得る構成の説明として解釈されるべきである。個別の実施形態の背景において説明した特定の構成は、単一の実施形態における組合せにおいても実施され得る。逆に、単一の実施形態の背景において説明した種々の構成は、個別に又はいずれかの適切な部分的組合せにおいて複数の実施形態においても実施され得る。
【０１６２】
本開示の例示的実施形態に対する種々の変形例又は代替例は、添付図面との関係で捉えられると上記説明から当業者には明らかなものとなる。いずれか又は全ての変形例は、それでも本開示の例示的実施形態の非限定的な範囲に入るものとなる。さらに、上記の明細書及び添付図面は、ここに記載する本開示の他の実施形態を本開示のこれらの実施形態に関する当業者が考案することを動機付けるような有利な効果を提供する。
【０１６３】
本開示の実施形態はここに開示されるこれらの特定の実施形態に限定されず、他の実施形態が添付の特許請求の範囲の範囲に含まれるべきことが理解されるはずである。特定の用語がここに採用されるが、それらは、限定目的のためではなく、広くかつ説明的な意味で使用されるにすぎない。
【図１】
2019516292.tif 000003
【図２】
2019516292.tif 000004
【図３】
2019516292.tif 000005
【図４】
2019516292.tif 000006
【図５】
2019516292.tif 000007
【図６】
2019516292.tif 000008
【図７】
2019516292.tif 000009
【図８】
2019516292.tif 000010
【図９】
2019516292.tif 000011
【国際調査報告】
2019516292.tif 000012
2019516292.tif 000013
2019516292.tif 000014